(57)【要約】【課題】通気性に優れた使い捨ておむつを提供する。【解決手段】パンツ形状の外装部材２の股部に吸収性本体７が設けられた使い捨ておむつであって、吸収性本体７は外装部材２の肌面側に第１接着領域１４で接着され、外装部材２の内側シート５と外側シート６は第２接着領域１６で互いに接着され、第２接着領域１６は、股部に設けられた第２中間接着領域１６Ｍと、それよりも前側に設けられ第１接着領域１４と重なって設けられた第２中央前側接着領域１６ＣＦ、および／または、それよりも後側に設けられ第１接着領域１４と重なって設けられた第２中央後側接着領域１６ＣＢとを有し、第２中央前側接着領域１６ＣＦの幅方向ｘの両側に吸収性本体７と重なって第２前側非接着領域１７Ｆが設けられている、および／または、第２中央後側接着領域１６ＣＢの幅方向ｘの両側に吸収性本体７と重なって第２後側非接着領域１７Ｂが設けられている。【選択図】図６
2020058696.tif 000002
【特許請求の範囲】
【請求項１】
前側胴部と後側胴部とこれらの間に位置する股部を有し、前側胴部と後側胴部とが接合されることによりウェスト開口部と一対の脚開口部とを有するパンツ形状に形成された外装部材と、
外装部材の少なくとも股部に設けられ、トップシートとバックシートとこれらの間に配された吸収体を有する吸収性本体とを有する使い捨ておむつであって、
外装部材は内側シートと外側シートを有し、内側シートと外側シートの間に、股部を横断し、脚開口部の前側の縁に沿って延びる前側脚部弾性部材と、股部を横断し、脚開口部の後側の縁に沿って延びる後側脚部弾性部材とが設けられ、
吸収性本体は外装部材の肌面側に第１接着領域で接着され、
内側シートと外側シートは第２接着領域で互いに接着され、第２接着領域は、股部に設けられた第２中間接着領域と、第２中間接着領域よりも前側に設けられた第２前側接着領域と、第２中間接着領域よりも後側に設けられた第２後側接着領域とを有し、第２中間接着領域において、前側脚部弾性部材と後側脚部弾性部材が股部を横断して設けられ、
第２中間接着領域は、少なくとも一部が第１接着領域と重なって設けられるともに、吸収性本体の幅方向の一方側縁から他方側縁にかけて連続的に設けられ、
第２前側接着領域が下記要件Ａを満たすように設けられている、および／または、第２後側接着領域が下記要件Ｂを満たすように設けられていることを特徴とする使い捨ておむつ。
（要件Ａ）
第２前側接着領域は、幅方向の一方側に第１接着領域と重ならずに設けられた第２右前側接着領域と、幅方向の他方側に第１接着領域と重ならずに設けられた第２左前側接着領域と、これらの間に第１接着領域と重なって設けられた第２中央前側接着領域とを有し、
第２右前側接着領域と第２中央前側接着領域の間および第２左前側接着領域と第２中央前側接着領域の間に、吸収性本体と重なって、内側シートと外側シートとが接着されない第２前側非接着領域が設けられている。
（要件Ｂ）
第２後側接着領域は、幅方向の一方側に第１接着領域と重ならずに設けられた第２右後側接着領域と、幅方向の他方側に第１接着領域と重ならずに設けられた第２左後側接着領域と、これらの間に第１接着領域と重なって設けられた第２中央後側接着領域とを有し、
第２右後側接着領域と第２中央後側接着領域の間および第２左後側接着領域と第２中央後側接着領域の間に、吸収性本体と重なって、内側シートと外側シートとが接着されない第２後側非接着領域が形成されている。
【請求項２】
前側脚部弾性部材と後側脚部弾性部材は、第２中間接着領域で股部を断続的に横断して設けられている請求項１に記載の使い捨ておむつ。
【請求項３】
第２中央前側接着領域は、吸収性本体の前側縁よりも前方に延在して設けられている、および／または、
第２中央後側接着領域は、吸収性本体の後側縁よりも後方に延在して設けられている請求項１または２に記載の使い捨ておむつ。
【請求項４】
第２右前側接着領域は、吸収性本体の幅方向の一方側縁から幅方向の外方に延在して設けられ、第２左前側接着領域は、吸収性本体の幅方向の他方側縁から幅方向の外方に延在して設けられている、および／または、
第２右後側接着領域は、吸収性本体の幅方向の一方側縁から幅方向の外方に延在して設けられ、第２左後側接着領域は、吸収性本体の幅方向の他方側縁から幅方向の外方に延在して設けられている請求項１〜３のいずれか一項に記載の使い捨ておむつ。
【請求項５】
第２右前側接着領域と第２左前側接着領域は、前側脚部弾性部材と重なって設けられるとともに、前側脚部弾性部材よりも前方に延在している、および／または、
第２右後側接着領域と第２左後側接着領域は、後側脚部弾性部材と重なって設けられるとともに、後側脚部弾性部材よりも後方に延在している請求項１〜４のいずれか一項に記載の使い捨ておむつ。
【請求項６】
第２中間接着領域は、吸収性本体の幅方向の一方側縁および他方側縁から幅方向の外方に、外装部材の外縁まで延在して設けられている請求項１〜５のいずれか一項に記載の使い捨ておむつ。
【請求項７】
前側胴部と後側胴部には、内側シートと外側シートの間に、幅方向に延びる胴部弾性部材が設けられ、
第２前側接着領域および／または第２後側接着領域は胴部弾性部材から離間して設けられ、第２前側接着領域および／または第２後側接着領域と胴部弾性部材との間に、内側シートと外側シートが接着されない非接着領域が形成されている請求項１〜６のいずれか一項に記載の使い捨ておむつ。
【請求項８】
第１接着領域の幅方向の一方側縁から他方側縁までの長さをＷA1、第１接着領域の幅方向の一方側縁から他方側縁までの範囲における第２前側非接着領域の幅方向の長さをＷA2としたとき、ＷA2／ＷA1の値が０．２０以上０．６５以下である、および／または、
第１接着領域の幅方向の一方側縁から他方側縁までの長さをＷB1、第１接着領域の幅方向の一方側縁から他方側縁までの範囲における第２後側非接着領域の幅方向の長さをＷB2としたとき、ＷB2／ＷB1の値が０．２０以上０．６５以下である請求項１〜７のいずれか一項に記載の使い捨ておむつ。
【請求項９】
第２前側非接着領域の幅方向の長さは、第２後側非接着領域の幅方向の長さよりも長い請求項１〜８のいずれか一項に記載の使い捨ておむつ。
【請求項１０】
第２前側接着領域および／または第２後側接着領域は、第２中間接着領域よりも剛軟度が高い請求項１〜９のいずれか一項に記載の使い捨ておむつ。
【請求項１１】
第１接着領域の幅方向の外方に、吸収性本体の幅方向の一方側縁または他方側縁と重なって、吸収性本体と外装部材とが接着されない第１側部非接着領域が設けられ、
第１側部非接着領域は、第２前側非接着領域および／または第２後側非接着領域と重なって設けられている請求項１〜１０のいずれか一項に記載の使い捨ておむつ。
【請求項１２】
第１接着領域は幅方向に並んで複数設けられ、複数の第１接着領域の間に、吸収性本体が外装部材と接着されない第１中央非接着領域が設けられ、
第２中央前側接着領域は幅方向に並んで複数設けられ、複数の第２中央前側接着領域の間に、内側シートと外側シートとが接着されない第２中央前側非接着領域が設けられ、および／または、第２中央後側接着領域は幅方向に並んで複数設けられ、複数の第２中央後側接着領域の間に、内側シートと外側シートとが接着されない第２中央後側非接着領域が設けられ、
第１中央非接着領域は、第２中央前側非接着領域および／または第２中央後側非接着領域と重なって設けられている請求項１〜１１のいずれか一項に記載の使い捨ておむつ。
【請求項１３】
吸収性本体には、幅方向の両側に立ち上がりフラップが設けられ、
立ち上がりフラップは、前側端部と後側端部とこれらの間の中間部を有し、中間部に前後方向に延びるフラップ弾性部材が設けられ、前側端部と後側端部がトップシートに接合されることにより中間部が起立可能に形成され、
第２中間接着領域の前側縁が立ち上がりフラップの前側端部の後側縁よりも後方に位置する、および／または、
第２中間接着領域の後側縁が立ち上がりフラップの後側端部の前側縁よりも前方に位置する請求項１〜１２のいずれか一項に記載の使い捨ておむつ。
【請求項１４】
吸収性本体には、幅方向の両側に立ち上がりフラップが設けられ、
立ち上がりフラップの起立基部は、第２前側非接着領域および／または第２後側非接着領域と重なる位置にある請求項１〜１３のいずれか一項に記載の使い捨ておむつ。
【発明の詳細な説明】
【技術分野】
【０００１】
本発明は、パンツ型の使い捨ておむつに関するものである。
【背景技術】
【０００２】
従来、パンツ形状に形成された外装部材と、外装部材の股部に設けられ、トップシートとバックシートの間に吸収体が配された吸収性本体とを有する使い捨ておむつが知られている（例えば、特許文献１〜６）。特許文献６には、外装部材の左右の脚周り開口部に沿って、外装部材を構成する複数のシートの層間に脚周り伸縮材が固定された使い捨ておむつであって、左脚周り開口部形成部および右脚周り開口部形成部の各々の外周に少なくとも３つのブロック状領域に区分して接着剤を塗布し、接着剤が塗布された塗布領域に、左脚周り開口部形成部および右脚周り開口部形成部の各々に沿うように脚周り伸縮材を伸張状態で配置することが開示されている。
【先行技術文献】
【特許文献】
【０００３】
【特許文献１】特開平８−２８０７３９号公報
【特許文献２】特開２００４−０４９７６３号公報
【特許文献３】特開２００４−２９８３９５号公報
【特許文献４】特開２００５−０８７６２２号公報
【特許文献５】特開２０１４−１８０３４６号公報
【特許文献６】特開２００９−１８９６２１号公報
【発明の概要】
【発明が解決しようとする課題】
【０００４】
使い捨ておむつは比較的長い時間着用されることから、着用感を向上させるために、着用者から発せられた汗や蒸れなどがおむつの外に好適に排出されることが望まれる。特に、パンツ形状の外装部材の股部に吸収性本体が配された使い捨ておむつでは、外装部材と吸収性本体とが重なる部分での通気性が低下しやすくなる。本発明は前記事情に鑑みてなされたものであり、その目的は、通気性に優れた使い捨ておむつを提供することにある。
【課題を解決するための手段】
【０００５】
前記課題を解決することができた本発明の使い捨ておむつとは、前側胴部と後側胴部とこれらの間に位置する股部を有し、前側胴部と後側胴部とが接合されることによりウェスト開口部と一対の脚開口部とを有するパンツ形状に形成された外装部材と、外装部材の少なくとも股部に設けられ、トップシートとバックシートとこれらの間に配された吸収体を有する吸収性本体とを有する使い捨ておむつであって；外装部材は内側シートと外側シートを有し、内側シートと外側シートの間に、股部を横断し、脚開口部の前側の縁に沿って延びる前側脚部弾性部材と、股部を横断し、脚開口部の後側の縁に沿って延びる後側脚部弾性部材とが設けられ；吸収性本体は外装部材の肌面側に第１接着領域で接着され；内側シートと外側シートは第２接着領域で互いに接着され、第２接着領域は、股部に設けられた第２中間接着領域と、第２中間接着領域よりも前側に設けられた第２前側接着領域と、第２中間接着領域よりも後側に設けられた第２後側接着領域とを有し、第２中間接着領域において、前側脚部弾性部材と後側脚部弾性部材が股部を横断して設けられ；第２中間接着領域は、少なくとも一部が第１接着領域と重なって設けられるともに、吸収性本体の幅方向の一方側縁から他方側縁にかけて連続的に設けられ；第２前側接着領域が下記要件Ａを満たすように設けられている、および／または、第２後側接着領域が下記要件Ｂを満たすように設けられているところに特徴を有する。
【０００６】
（要件Ａ）第２前側接着領域は、幅方向の一方側に第１接着領域と重ならずに設けられた第２右前側接着領域と、幅方向の他方側に第１接着領域と重ならずに設けられた第２左前側接着領域と、これらの間に第１接着領域と重なって設けられた第２中央前側接着領域とを有し、第２右前側接着領域と第２中央前側接着領域の間および第２左前側接着領域と第２中央前側接着領域の間に、吸収性本体と重なって、内側シートと外側シートとが接着されない第２前側非接着領域が設けられている。
【０００７】
（要件Ｂ）第２後側接着領域は、幅方向の一方側に第１接着領域と重ならずに設けられた第２右後側接着領域と、幅方向の他方側に第１接着領域と重ならずに設けられた第２左後側接着領域と、これらの間に第１接着領域と重なって設けられた第２中央後側接着領域とを有し、第２右後側接着領域と第２中央後側接着領域の間および第２左後側接着領域と第２中央後側接着領域の間に、吸収性本体と重なって、内側シートと外側シートとが接着されない第２後側非接着領域が形成されている。
【０００８】
本発明の使い捨ておむつは、吸収性本体が外装部材の肌面側に第１接着領域で接着され、第１接着領域と重なる部分で、外装部材の内側シートと外側シートが第２中央前側接着領域および／または第２中央後側接着領域で互いに接着されるとともに、それらの間の第２中間接着領域で互いに接着されている。そして、第２中央前側接着領域および／または第２中央後側接着領域の幅方向の両側には、吸収性本体と重なって、外装部材の内側シートと外側シートが接着されない第２前側非接着領域および／または第２後側非接着領域が形成されている。そのため、第２前側非接着領域および／または第２後側非接着領域によって外装部材の通気性が高まり、着用者から出た汗や蒸れなどがおむつの外に好適に排出されやすくなる。一方、第２中間接着領域は、第１接着領域と重なって、吸収性本体の幅方向の一方側縁から他方側縁にかけて連続的に設けられているため、吸収性本体が第２中間接着領域で外装部材に対して適切に位置決めされ、吸収性本体が着用者の股部でずれにくくなる。そのため、使い捨ておむつの着用感を良好なものとすることができる。
【０００９】
前側脚部弾性部材と後側脚部弾性部材は、第２中間接着領域で股部を断続的に横断して設けられていることが好ましい。このように前側脚部弾性部材と後側脚部弾性部材が設けられれば、吸収性本体が前側脚部弾性部材と後側脚部弾性部材の収縮力によって歪みにくくなり、吸収性本体の着用者の股間でのフィット性を高めることができる。
【００１０】
第２中央前側接着領域は吸収性本体の前側縁よりも前方に延在して設けられている、および／または、第２中央後側接着領域は吸収性本体の後側縁よりも後方に延在して設けられていることが好ましい。このように第２中央前側接着領域および／または第２中央後側接着領域が設けられていれば、吸収性本体の前後方向の端部が外装部材に対して適切に位置決めされ、吸収性本体が前後方向の広い範囲にわたって外装部材に対してずれにくくなる。
【００１１】
第２右前側接着領域は、吸収性本体の幅方向の一方側縁から幅方向の外方に延在して設けられ、第２左前側接着領域は、吸収性本体の幅方向の他方側縁から幅方向の外方に延在して設けられている、および／または、第２右後側接着領域は、吸収性本体の幅方向の一方側縁から幅方向の外方に延在して設けられ、第２左後側接着領域は、吸収性本体の幅方向の他方側縁から幅方向の外方に延在して設けられていることが好ましい。このように各接着領域が設けられていれば、吸収性本体が外装部材に対して幅方向にずれにくくなり、おむつを着用する際に、吸収性本体を外装部材に対して所望の位置にセットしやすくなる。
【００１２】
第２右前側接着領域と第２左前側接着領域は、前側脚部弾性部材と重なって設けられるとともに、前側脚部弾性部材よりも前方に延在している、および／または、第２右後側接着領域と第２左後側接着領域は、後側脚部弾性部材と重なって設けられるとともに、後側脚部弾性部材よりも後方に延在していることが好ましい。このように第２前側接着領域および／または第２後側接着領域を設けることにより、前側脚部弾性部材および／または後側脚部弾性部材の脚開口部の縁に沿って延びる部分が内側シートおよび／または外側シートに接着固定されるようになる。
【００１３】
第２中間接着領域は、吸収性本体の幅方向の一方側縁および他方側縁から幅方向の外方に、外装部材の外縁まで延在して設けられていることが好ましい。このように第２中間接着領域を設けることにより、前側脚部弾性部材と後側脚部弾性部材が股部を横断する部分から脚開口部の縁に沿って延びる部分にかけて、内側シートおよび／または外側シートに接着固定されるようになる。
【００１４】
前側胴部と後側胴部には、内側シートと外側シートの間に、幅方向に延びる胴部弾性部材が設けられ、第２前側接着領域および／または第２後側接着領域は胴部弾性部材から離間して設けられ、第２前側接着領域および／または第２後側接着領域と胴部弾性部材との間に、内側シートと外側シートが接着されない非接着領域が形成されていることが好ましい。このように非接着領域を設けることにより、第２前側非接着領域や第２後側非接着領域に溜まった湿気がおむつの外に排出されやすくなる。
【００１５】
第１接着領域との関係から、第２前側非接着領域と第２後側非接着領域は次のように設けられることが好ましい。すなわち、第１接着領域の幅方向の一方側縁から他方側縁までの長さをＷA1、第１接着領域の幅方向の一方側縁から他方側縁までの範囲における第２前側非接着領域の幅方向の長さをＷA2としたとき、ＷA2／ＷA1の値が０．２０以上０．６５以下である、および／または、第１接着領域の幅方向の一方側縁から他方側縁までの長さをＷB1、第１接着領域の幅方向の一方側縁から他方側縁までの範囲における第２後側非接着領域の幅方向の長さをＷB2としたとき、ＷB2／ＷB1の値が０．２０以上０．６５以下であることが好ましい。これにより、外装部材の通気性を高めつつ、おむつを着用の際に、吸収性本体を外装部材に対して適切な位置にセットしやすくなる。
【００１６】
第２前側非接着領域の幅方向の長さは、第２後側非接着領域の幅方向の長さよりも長いことが好ましい。これにより、より多くの尿が溜まりやすいおむつの前側での通気性を高めることができる。
【００１７】
第２前側接着領域および／または第２後側接着領域は、第２中間接着領域よりも剛軟度が高いことが好ましい。これにより外装部材の股部が軟らかく形成され、使い捨ておむつの着用感を向上させることができる。
【００１８】
第１接着領域の幅方向の外方には、吸収性本体の幅方向の一方側縁または他方側縁と重なって、吸収性本体と外装部材とが接着されない第１側部非接着領域が設けられ、第１側部非接着領域が第２前側非接着領域および／または第２後側非接着領域と重なって設けられていることが好ましい。これにより、外装部材と吸収性本体が重なる部分での通気性を高めることができる。
【００１９】
外装部材の通気性を高める点から、第１接着領域と第２接着領域は次のように設けられていてもよい。すなわち、第１接着領域は幅方向に並んで複数設けられ、複数の第１接着領域の間に、吸収性本体が外装部材と接着されない第１中央非接着領域が設けられ、第２中央前側接着領域は幅方向に並んで複数設けられ、複数の第２中央前側接着領域の間に、内側シートと外側シートとが接着されない第２中央前側非接着領域が設けられ、および／または、第２中央後側接着領域は幅方向に並んで複数設けられ、複数の第２中央後側接着領域の間に、内側シートと外側シートとが接着されない第２中央後側非接着領域が設けられ、第１中央非接着領域は、第２中央前側非接着領域および／または第２中央後側非接着領域と重なって設けられていてもよい。
【００２０】
吸収性本体には幅方向の両側に立ち上がりフラップが設けられ、立ち上がりフラップは、前側端部と後側端部とこれらの間の中間部を有し、中間部に前後方向に延びるフラップ弾性部材が設けられ、立ち上がりフラップの前側端部と後側端部がトップシートに接合されることにより中間部が起立可能に形成され、第２中間接着領域の前側縁が立ち上がりフラップの前側端部の後側縁よりも後方に位置する、および／または、第２中間接着領域の後側縁が立ち上がりフラップの後側端部の前側縁よりも前方に位置することが好ましい。このように立ち上がりフラップを設けることにより、立ち上がりフラップの中間部の前後端部において、立ち上がりフラップの起立高さを第２前側非接着領域や第２後側非接着領域によって補うことができる。これにより、立ち上がりフラップによる尿等の横漏れ防止効果を高めることができる。
【００２１】
立ち上がりフラップの起立基部は、第２前側非接着領域および／または第２後側非接着領域と重なる位置にあることが好ましい。これにより立ち上がりフラップが起立した際に、立ち上がりフラップをより高く起立させることができる。
【発明の効果】
【００２２】
本発明の使い捨ておむつは、吸収性本体が外装部材の肌面側に第１接着領域で接着され、第１接着領域と重なる部分で、外装部材の内側シートと外側シートが第２中央前側接着領域および／または第２中央後側接着領域で互いに接着されるとともに、それらの間の第２中間接着領域で互いに接着されている。そして、第２中央前側接着領域および／または第２中央後側接着領域の幅方向の両側には、吸収性本体と重なって、外装部材の内側シートと外側シートが接着されない第２前側非接着領域および／または第２後側非接着領域が形成されている。そのため、第２前側非接着領域および／または第２後側非接着領域によって外装部材の通気性が高まり、着用者から出た汗や蒸れなどがおむつの外に好適に排出されやすくなる。一方、第２中間接着領域は、第１接着領域と重なって、吸収性本体の幅方向の一方側縁から他方側縁にかけて連続的に設けられているため、吸収性本体が第２中間接着領域で外装部材に対して適切に位置決めされやすくなり、使い捨ておむつの着用感を良好なものとすることができる。
【図面の簡単な説明】
【００２３】
【図１】使い捨ておむつの斜視図を表す。
【図２】図１に示した使い捨ておむつの前側胴部と後側胴部との接合を解いて展開した状態を肌面側から見た平面図を表す。
【図３】図２に示した使い捨ておむつのＩＩＩ−ＩＩＩ断面図を表す。
【図４】使い捨ておむつの外装部材を肌面側から見た平面図を表し、外装部材に吸収性本体が接着される第１接着領域の形成例が示されている。
【図５】使い捨ておむつの外装部材を肌面側から見た平面図を表し、外装部材の内側シートと外側シートが接着される第２接着領域の形成例が示されている。
【図６】図５に示した外装部材の肌面側の部分平面図を表す。
【図７】使い捨ておむつの外装部材を肌面側から見た平面図を表し、外装部材に吸収性本体が接着される第１接着領域の形成例が示されている。
【図８】使い捨ておむつの外装部材を肌面側から見た平面図を表し、外装部材の内側シートと外側シートが接着される第２接着領域の形成例が示されている。
【図９】図８に示した外装部材の肌面側の部分平面図を表す。
【図１０】図２に示した展開状態の使い捨ておむつを肌面側から見た部分平面図を表す。
【発明を実施するための形態】
【００２４】
本発明の使い捨ておむつについて、図面を参照して説明する。なお本発明は、図面に示された実施態様に限定されるものではない。図１〜図３には、本発明の使い捨ておむつの一例を示した。図１は使い捨ておむつの斜視図を表し、図２は、図１に示した使い捨ておむつの前側胴部と後側胴部との接合を解いて平面に展開した状態を肌面側から見た図を表し、図３は、図２に示した使い捨ておむつのＩＩＩ−ＩＩＩ断面図を表す。なお図面では、矢印ｘが幅方向、矢印ｙが前後方向を表し、矢印ｘ，ｙにより形成される面に対して垂直方向が厚み方向ｚを表す。
【００２５】
使い捨ておむつ１は、前側胴部Ｐと後側胴部Ｑとこれらの間に位置する股部Ｒとから構成された外装部材２を有する。外装部材２は、前側胴部Ｐと後側胴部Ｑとが接合されることにより、ウェスト開口部３と一対の脚開口部４を有するパンツ形状に形成されている。ウェスト開口部３は着用者の胴を通すための開口であり、脚開口部４は着用者の脚を通すための開口である。
【００２６】
外装部材２において、前側胴部Ｐは、おむつを着用の際に着用者の腹側に当てる部分に相当し、後側胴部Ｑは、おむつを着用の際に着用者の背側に当てる部分に相当する。前側胴部Ｐと後側胴部Ｑは、外装部材２の前後方向ｙにおいて、パンツ形状に形成された状態で幅方向ｘの両側で互いに接合される。股部Ｒは、前側胴部Ｐと後側胴部Ｑとの間に位置し、着用者の股間に当てる部分に相当する。股部Ｒは、外装部材２を前後方向ｙに３分割した中間に位置する部分であり、パンツ形状に形成された状態で幅方向ｘの両側で互いに接合されない。外装部材２は、前側胴部Ｐと後側胴部Ｑとを幅方向ｘの両側のサイド接合部１１で接合することにより、パンツ形状に形成される。
【００２７】
使い捨ておむつ１において、前後方向ｙとは、前側胴部Ｐから後側胴部Ｑにかけての方向を意味し、おむつを着用した際の着用者の股間の前後方向に相当する。幅方向ｘとは、おむつを着用した際の着用者の左右方向に相当する。使い捨ておむつの肌面側とは、おむつを着用した際、着用者の肌に向く側を意味する。使い捨ておむつの外面側とは、おむつを着用した際、着用者とは反対を向く側を意味する。
【００２８】
外装部材２の股部Ｒには、吸収性本体７が設けられる。吸収性本体７は、トップシート８とバックシート９とこれらの間に配された吸収体１０を有する（図３を参照）。トップシート８は、おむつを着用の際に着用者側に位置するシートであり、吸収体１０の肌面側に配される。トップシート８は液透過性であることが好ましい。バックシート９は、おむつを着用の際に着用者とは反対側に位置するシートであり、吸収体１０の外面側に配される。バックシート９は液不透過性であることが好ましい。着用者から排泄された尿等はトップシート８を透過して吸収体１０により収容され、バックシート９は排泄物が外部へ漏れるのを防ぐ。
【００２９】
液透過性のトップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００３０】
液不透過性のバックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。バックシートは２以上のシートの積層体から構成されていてもよく、例えば、不織布とプラスチックフィルムとの積層体を用いてもよい。この場合、積層体を構成する各シートは同じ大きさであっても異なる大きさであってもよい。バックシートは、液不透過性であって、かつ透湿性であってもよい。
【００３１】
吸収体は、尿等の排泄物を吸収できる吸収性材料を含むものであれば特に限定されない。吸収体としては、例えば、吸収性材料を所定形状に成形した成形体を用いることができる。吸収体は、紙シート（例えば、ティッシュペーパーや薄葉紙）や液透過性不織布等の被覆シートで覆われてもよい。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。吸収性材料は、吸収容量を高める点から、少なくとも吸水性樹脂を含むことが好ましい。
【００３２】
吸収体は、不織布シート間に吸水性樹脂を有しパルプ繊維を有しないように構成された吸収シートを有するものであってもよい。このように構成された吸収シートは、不織布シート間に吸水性樹脂を有するため、高い吸収容量を実現できるとともに、不織布シート間にパルプ繊維を有しないため、嵩張らず薄型に形成することができる。
【００３３】
吸収体は、吸収性材料として吸水性繊維を用いたものであってもよい。この場合もまた、薄型に形成された吸収体とすることができる。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００３４】
吸収体１０の形状（平面形状）は特に限定されない。吸収体１０の形状としては、例えば、略長方形、砂時計形、ひょうたん形、羽子板形等が挙げられる。図面では、吸収体１０は略長方形に形成されている。
【００３５】
吸収性本体７には、幅方向ｘの両側に立ち上がりフラップ１２が設けられることが好ましい（図２および図３を参照）。立ち上がりフラップ１２を設けることにより、尿等の排泄物の横漏れを防ぐことができる。立ち上がりフラップ１２は吸収性本体７の肌面側に設けられ、トップシート８に接合されることが好ましい。立ち上がりフラップ１２が立ち上がった状態の上端部（着用者側の端部）には、フラップ弾性部材１３が設けられることが好ましい。フラップ弾性部材１３の収縮力により、立ち上がりフラップ１２が起立しやすくなる。
【００３６】
外装部材２は、肌面側に配された内側シート５と、外面側に配された外側シート６とを有する。内側シート５の肌面側には、吸収性本体７が設けられる。外側シート６は、その外面側が、おむつの外側に面するように設けられる。内側シート５と外側シート６はそれぞれ、前側胴部Ｐと後側胴部Ｑと股部Ｒを有するように構成されている。内側シート５と外側シート６は液透過性であっても液不透過性であってもよく、トップシート８やバックシート９に使用可能なシート材料を用いることができる。内側シート５と外側シート６は透湿性であることが好ましく、これにより外装部材２の着用感を向上させることができる。
【００３７】
上記説明したトップシート、バックシート、外側シート、内側シート等のシート材料として不織布を用いる場合、不織布としては、スパンボンド不織布、エアスルー不織布、ポイントボンド不織布、メルトブロー不織布、ＳＭＳ不織布等を用いることが好ましく、これにより薄くて丈夫なシートを容易に得ることができる。
【００３８】
外装部材２には、内側シート５と外側シート６の間に、脚開口部４の縁に沿って、脚部弾性部材２２が設けられる。脚部弾性部材２２は、股部Ｒを横断し、脚開口部４の前側の縁に沿って設けられる前側脚部弾性部材２２Ｆと、股部Ｒを横断し、脚開口部４の後側の縁に沿って設けられる後側脚部弾性部材２２Ｂとから構成される。前側脚部弾性部材２２Ｆと後側脚部弾性部材２２Ｂとにより、脚開口部４の縁のほぼ全周にわたり弾性部材が設けられ、着用者の脚周りに沿ったレッグギャザーが形成され、股部からの尿等の漏れが防止される。図面では、前側脚部弾性部材２２Ｆと後側脚部弾性部材２２Ｂが互いに離間して設けられているが、前側脚部弾性部材２２Ｆと後側脚部弾性部材２２Ｂは互いに接していたり交差していてもよい。
【００３９】
外装部材２の前側胴部Ｐと後側胴部Ｑには、内側シート５と外側シート６の間に、幅方向ｘに延びる複数の胴部弾性部材２０が設けられることが好ましい。胴部弾性部材２０は、ウェスト開口部３と脚開口部４の間に設けられる。胴部弾性部材２０により、着用者の胴周りのフィット性が高められる。なお、胴部弾性部材２０のうち、ウェスト開口部３の縁に沿って前後方向ｙに狭い間隔で設けられる弾性部材を腰部弾性部材２１として設けてもよく、これにより着用者の腰周りに沿ったウェストギャザーが形成され、背中側や腹部側からの尿等の排泄物の漏れが防止される。図１および図２では、腰部弾性部材２１は胴部弾性部材２０よりも前後方向ｙに狭い間隔で設けられている。
【００４０】
外装部材２は、ウェスト開口部３の縁に沿って折り返されていてもよい。例えば、外側シート６が外装部材２のウェスト開口部３の縁で内側シート５側に折り返されていてもよい（図示せず）。この場合、腰部弾性部材２１は、折り返された外側シート６間に挟まれて、外側シート６に接着されていてもよい。
【００４１】
使い捨ておむつ１に設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００４２】
吸収性本体７は、外装部材２の肌面側の少なくとも股部Ｒに設けられ、さらに前側胴部Ｐおよび／または後側胴部Ｑに延在していることが好ましい。吸収性本体７は、例えば略砂時計形に形成されたり、略長方形に形成されればよい。
【００４３】
吸収性本体７は外装部材２の肌面側に第１接着領域で接着されている。第１接着領域は、吸収性本体７の外面側の全面に設けられてもよく、一部のみに設けられてもよい。図４には、外装部材２を肌面側から見た平面図が示されており、外装部材２に設置される吸収性本体７の外縁が一点鎖線で示され、外装部材２に吸収性本体７が接着される第１接着領域１４がクロスハッチングで示されている。図４には、第１接着領域１４が吸収性本体７の外面側のほぼ全面に設けられた例が示されている。
【００４４】
第１接着領域１４は、後述するように、内側シート５と外側シート６とが接着される第２接着領域１６として、第２中間接着領域１６Ｍや第２中央前側接着領域１６ＣＦや第２中央後側接着領域１６ＣＢと重なって設けられる。第１接着領域１４は、前後方向ｙに対して連続的に設けられても断続的に設けられてもよいが、第２中間接着領域１６Ｍと重なる部分から第２中央前側接着領域１６ＣＦまたは第２中央後側接着領域１６ＣＢと重なる部分にかけて連続的に設けられることが好ましく、第２中央前側接着領域１６ＣＦと重なる部分から第２中央後側接着領域１６ＣＢと重なる部分にかけて連続的に設けられることがより好ましい。第１接着領域１４は、吸収性本体７が安定して外装部材２に固定されるようにする点から、吸収性本体７の前後方向ｙにおいて広い範囲に設けられることが好ましい。例えば、第１接着領域１４の前後方向ｙの長さ（複数ある場合はその合計長さ）は、吸収性本体７の前後方向ｙの長さの７０％以上であることが好ましく、８０％以上がより好ましく、９０％以上がさらに好ましい。
【００４５】
第１接着領域１４は、幅方向ｘに対して、連続的に設けられても断続的に設けられてもよい。第１接着領域１４が幅方向ｘに対して断続的に設けられる場合、隣接する第１接着領域１４の間に吸収性本体７が外装部材２と接着されない第１非接着領域１５が形成される。この場合、第１接着領域１４は、幅方向ｘに２以上５以下並んで設けられることが好ましく、４以下がより好ましく、３以下がさらに好ましい。
【００４６】
第１接着領域１４が幅方向ｘに対して断続的に設けられる場合、第１接着領域１４の幅方向ｘの長さ（複数の合計長さ）は、吸収性本体７の幅方向ｘの長さの１５％以上が好ましく、２０％以上がより好ましく、３０％以上がさらに好ましく、また９０％以下が好ましく、８０％以下がより好ましく、７０％以下がさらに好ましく、６０％以下がさらにより好ましい。第１接着領域１４が幅方向ｘに対して連続的に設けられる場合、第１接着領域１４の幅方向ｘの長さは、吸収性本体７の幅方向ｘの長さの６０％以上が好ましく、７０％以上がより好ましく、８０％以上がさらに好ましい。
【００４７】
第１接着領域１４が幅方向ｘと前後方向ｙに対して連続的に設けられる場合、第１接着領域１４は略矩形状に設けられることが好ましい。第１接着領域１４が幅方向ｘおよび／または前後方向ｙに対して断続的に設けられる場合は、略矩形状の接着領域が幅方向ｘおよび／または前後方向ｙに並んで配置されることにより、第１接着領域１４が形成されることが好ましい。
【００４８】
外装部材２においては、内側シート５と外側シート６が第２接着領域で互いに接着されている。図５には、外装部材２を肌面側から見た平面図が示されており、外装部材２に設置される吸収性本体７の外縁が一点鎖線で示され、第１接着領域１４の外縁が二点鎖線で示され、外装部材２の内側シート５と外側シート６が接着される第２接着領域１６がクロスハッチングで示されている。図５では、図４に示した第１接着領域１４の外縁が二点鎖線で示されている。
【００４９】
第２接着領域１６は、股部に設けられた第２中間接着領域１６Ｍと、第２中間接着領域１６Ｍよりも前側に設けられた第２前側接着領域１６Ｆと、第２中間接着領域１６Ｍよりも後側に設けられた第２後側接着領域１６Ｂとを有する。第２前側接着領域１６Ｆと第２中間接着領域１６Ｍと第２後側接着領域１６Ｂは外装部材２を前後方向ｙに区分することによって規定され、それぞれ幅方向ｘに延びるように設けられる。
【００５０】
第２中間接着領域１６Ｍは、少なくとも一部が第１接着領域１４と重なって設けられるとともに、吸収性本体７と重なる部分で、吸収性本体７の幅方向ｘの一方側縁から他方側縁にかけて連続的に設けられる。第２中間接着領域１６Ｍでは、前側脚部弾性部材２２Ｆと後側脚部弾性部材２２Ｂが股部Ｒを横断して設けられている。前側脚部弾性部材２２Ｆと後側脚部弾性部材２２Ｂが第２中間接着領域１６Ｍで股部Ｒを横断することより、前側脚部弾性部材２２Ｆと後側脚部弾性部材２２Ｂが吸収性本体７と重なる部分で内側シート５および／または外側シート６にしっかりと接着固定される。例えば、後述するように、前側脚部弾性部材２２Ｆと後側脚部弾性部材２２Ｂが股部Ｒを断続的に横断するように設けられる場合は、前側脚部弾性部材２２Ｆと後側脚部弾性部材２２Ｂの断片が遊離しないことによって、おむつの見栄えを良くすることができる。
【００５１】
第２前側接着領域１６Ｆは、第２中間接着領域１６Ｍよりも前側に設けられ、少なくとも一部が第１接着領域１４と重なって、幅方向ｘに断続的に設けられる。第２後側接着領域１６Ｂは、第２中間接着領域１６Ｍよりも後側に設けられ、少なくとも一部が第１接着領域１４と重なって、幅方向ｘに断続的に設けられる。第２前側接着領域１６Ｆと第２後側接着領域１６Ｂについて、図６を参照して具体的に説明すると、第２前側接着領域１６Ｆは、幅方向ｘの一方側に第１接着領域１４と重ならずに設けられた第２右前側接着領域１６ＲＦと、幅方向ｘの他方側に第１接着領域１４と重ならずに設けられた第２左前側接着領域１６ＬＦと、これらの間に第１接着領域１４と重なって設けられた第２中央前側接着領域１６ＣＦとを有する。そして、第２右前側接着領域１６ＲＦと第２中央前側接着領域１６ＣＦの間および第２左前側接着領域１６ＬＦと第２中央前側接着領域１６ＣＦの間に、吸収性本体７と重なって、内側シート５と外側シート６とが接着されない第２前側非接着領域１７Ｆが形成される。第２後側接着領域１６Ｂは、幅方向ｘの一方側に第１接着領域１４と重ならずに設けられた第２右後側接着領域１６ＲＢと、幅方向ｘの他方側に第１接着領域１４と重ならずに設けられた第２左後側接着領域１６ＬＢと、これらの間に第１接着領域１４と重なって設けられた第２中央後側接着領域１６ＣＢとを有する。そして、第２右後側接着領域１６ＲＢと第２中央後側接着領域１６ＣＢの間および第２左後側接着領域１６ＬＢと第２中央後側接着領域１６ＣＢの間に、吸収性本体７と重なって、内側シート５と外側シート６とが接着されない第２後側非接着領域１７Ｂが形成される。
【００５２】
外装部材２は、このように吸収性本体７と重なる部分に第２前側非接着領域１７Ｆや第２後側非接着領域１７Ｂが形成されることにより、通気性が高まり、着用者から出た汗や蒸れなどがおむつの外に好適に排出されやすくなる。使い捨ておむつ１は、外装部材２と吸収性本体７が重なる部分で特に通気性が悪くなるが、このように外装部材２の吸収性本体７が重なる部分において内側シート５と外側シート６とが接着されない第２非接着領域１７が形成されることにより、外装部材２と吸収性本体７が重なる部分での通気性を高めることができる。また、吸収性本体７のバックシート９が透湿性である場合は、吸収性本体７に尿等が吸収された後、水分が湿気となって透湿性のバックシート９を透過して第２前側非接着領域１７Ｆまたは第２後側非接着領域１７Ｂを通ることにより、おむつの外に好適に排出されやすくなる。
【００５３】
なお、このように外装部材２に内側シート５と外側シート６とが接着されない第２非接着領域１７を設けた場合、おむつを着用した際に、吸収性本体７が着用者の股部で移動しやすくなり、所定の位置にセットすることが難しくなることが懸念される。そのために使い捨ておむつ１では、第２中間接着領域１６Ｍを、吸収性本体７と重なる部分で、吸収性本体７の幅方向ｘの一方側縁から他方側縁にかけて連続的に設けている。これにより、第２中間接着領域１６Ｍで吸収性本体７が外装部材２に対して適切に位置決めされ、吸収性本体７が外装部材２（特に外側シート６）に対してずれにくくなる。そのため、使い捨ておむつ１の着用感を良好なものとすることができる。
【００５４】
使い捨ておむつ１に立ち上がりフラップ１２が設けられる場合は、第２前側非接着領域１７Ｆや第２後側非接着領域１７Ｂにおいて内側シート５と外側シート６とが離間することで、おむつを着用の際に、吸収性本体７の幅方向ｘの両側部が変形しやすくなり、これにより立ち上がりフラップ１２の起立する高さを補うことができるという効果も得られる。この場合、立ち上がりフラップ１２による尿等の横漏れ防止効果を高めることができる。
【００５５】
使い捨ておむつ１は、第２前側接着領域１６Ｆと第２後側接着領域１６Ｂの両方が上記のように設けられていることが好ましいが、第２前側接着領域１６Ｆのみ、あるいは第２後側接着領域１６Ｂのみが、上記のように設けられていてもよい。
【００５６】
第２右前側接着領域１６ＲＦは吸収性本体７の幅方向ｘの一方側縁と重なって設けられ、第２左前側接着領域１６ＬＦは吸収性本体７の幅方向ｘの他方側縁と重なって設けられていることが好ましい。このように第２右前側接着領域１６ＲＦと第２左前側接着領域１６ＬＦが設けられていれば、吸収性本体７の幅方向ｘの両端部が外装部材２（特に外側シート６）に対してずれにくくなり、おむつを着用した際に、吸収性本体７を所望の位置にセットしやすくなる。また、第２右前側接着領域１６ＲＦと第２左前側接着領域１６ＬＦは、吸収性本体７の前側縁よりも前方に延在して設けられていることが好ましい。同様に、第２右後側接着領域１６ＲＢは吸収性本体７の幅方向ｘの一方側縁と重なって設けられ、第２左後側接着領域１６ＬＢは吸収性本体７の幅方向ｘの他方側縁と重なって設けられていることが好ましい。また、第２右後側接着領域１６ＲＢと第２左後側接着領域１６ＬＢは、吸収性本体７の後側縁よりも後方に延在して設けられていることが好ましい。
【００５７】
第２右前側接着領域１６ＲＦは、吸収性本体７の幅方向ｘの一方側縁から幅方向ｘの外方に延在して設けられ、第２左前側接着領域１６ＬＦは、吸収性本体７の幅方向ｘの他方側縁から幅方向ｘの外方に延在して設けられていることが好ましい。この場合、第２右前側接着領域１６ＲＦと第２左前側接着領域１６ＬＦは、外装部材２のサイド接合部１１から内方に１０ｍｍ以内の領域（より好ましく５ｍｍ以内の領域）まで延在していることが好ましい。このように第２右前側接着領域１６ＲＦと第２左前側接着領域１６ＬＦが設けられていれば、吸収性本体７が外装部材２（特に外側シート６）に対して幅方向ｘにずれにくくなり、おむつを着用する際に、吸収性本体７を外装部材２に対して所望の位置にセットしやすくなる。同様の理由から、第２右後側接着領域１６ＲＢは、吸収性本体７の幅方向ｘの一方側縁から幅方向ｘの外方に延在して設けられ、第２左後側接着領域１６ＬＢは、吸収性本体７の幅方向ｘの他方側縁から幅方向ｘの外方に延在して設けられていることが好ましい。また、第２右後側接着領域１６ＲＢと第２左後側接着領域１６ＬＢは、外装部材２のサイド接合部１１から内方に１０ｍｍ以内の領域（より好ましく５ｍｍ以内の領域）まで延在していることがより好ましい。
【００５８】
図４に示すように、第１接着領域１４の幅方向ｘの外方には、吸収性本体７の幅方向ｘの一方側縁または他方側縁と重なって、吸収性本体７と外装部材２とが接着されない第１非接着領域１５が設けられることが好ましい（以下、吸収性本体の幅方向の一方側縁または他方側縁と重なって設けられた第１非接着領域を「第１側部非接着領域」と称する場合がある）。これにより、外装部材２と吸収性本体７が重なる部分での通気性を高めることができる。この場合、第１側部非接着領域１５は第２右前側接着領域１６ＲＦおよび／または第２左前側接着領域１６ＬＦと重なって設けられることが好ましく、第２前側非接着領域１７Ｆとも重なって設けられることがより好ましい。また、第１側部非接着領域１５は第２右後側接着領域１６ＲＢおよび／または第２左後側接着領域１６ＬＢと重なって設けられることが好ましく、第２後側非接着領域１７Ｂとも重なって設けられることがより好ましい。第１側部非接着領域１５が設けられる場合、第１側部非接着領域１５の幅方向ｘの長さ（右側の第１側部非接着領域１５と左側の第１側部非接着領域１５の合計長さ）は、吸収性本体７の幅方向ｘの長さの５％以上が好ましく、１０％以上がより好ましく、また６０％以下が好ましく、５０％以下がさらに好ましい。
【００５９】
第２右前側接着領域１６ＲＦと第２左前側接着領域１６ＬＦは、前側脚部弾性部材２２Ｆと重なって設けられるとともに、前側脚部弾性部材２２Ｆよりも前方に延在していることが好ましい。このように第２右前側接着領域１６ＲＦと第２左前側接着領域１６ＬＦが設けられることにより、前側脚部弾性部材２２Ｆの脚開口部４の縁に沿って延びる部分が、内側シート５および／または外側シート６に接着固定されるようになる。また、第２右後側接着領域１６ＲＢと第２左後側接着領域１６ＬＢは、吸収性本体７の幅方向ｘの一方側縁および他方側縁から幅方向ｘの外方に延在し、後側脚部弾性部材２２Ｂと重なって設けられるとともに、後側脚部弾性部材２２Ｂよりも後方に延在していることが好ましい。このように第２右後側接着領域１６ＲＢと第２左後側接着領域１６ＬＢが設けられることにより、後側脚部弾性部材２２Ｂの脚開口部４の縁に沿って延びる部分が、内側シート５および／または外側シート６に接着固定されるようになる。前側脚部弾性部材２２Ｆよりも前方とは、前側脚部弾性部材２２Ｆの最前端よりも前方を意味し、後側脚部弾性部材２２Ｂよりも後方とは、後側脚部弾性部材２２Ｂの最後端よりも後方を意味する。
【００６０】
第２中央前側接着領域１６ＣＦは、吸収性本体７の前側縁よりも前方に延在して設けられていることが好ましい。また、第２中央後側接着領域１６ＣＢは、吸収性本体７の後側縁よりも後方に延在して設けられていることが好ましい。このように第２中央前側接着領域１６ＣＦと第２中央後側接着領域１６ＣＢが設けられれば、吸収性本体７の前後方向ｙの端部が外装部材２に対して適切に位置決めされ、吸収性本体７が前後方向ｙの広い範囲にわたって外装部材２（特に外側シート６）に対してずれにくくなる。
【００６１】
第２前側接着領域１６Ｆの前側には、第２前側接着領域１６Ｆと隣接して、内側シート５と外側シート６が接着されない非接着領域が形成されることが好ましい。また、第２後側接着領域１６Ｂの後側には、第２後側接着領域１６Ｂと隣接して、内側シート５と外側シート６が接着されない非接着領域が形成されることが好ましい。そして、第２前側非接着領域１７Ｆおよび／または第２後側非接着領域１７Ｂは、これらの非接着領域と接続していることが好ましい。これにより、第２前側非接着領域１７Ｆや第２後側非接着領域１７Ｂに溜まった湿気がおむつの外に排出されやすくなる。
【００６２】
図５に示されるように、外装部材２の前側胴部Ｐと後側胴部Ｑに胴部弾性部材２０が設けられる場合は、第２前側接着領域１６Ｆおよび／または第２後側接着領域１６Ｂは胴部弾性部材２０から離間して設けられ、第２前側接着領域１６Ｆおよび／または第２後側接着領域１６Ｂと胴部弾性部材２０との間に、内側シート５と外側シート６が接着されない非接着領域が設けられることが好ましい。このように非接着領域が設けられることにより、第２前側非接着領域１７Ｆや第２後側非接着領域１７Ｂに溜まった湿気がおむつの外に排出されやすくなる。
【００６３】
外装部材２の前側胴部Ｐと後側胴部Ｑに複数の胴部弾性部材２０が設けられる場合は、胴部弾性部材２０が内側シート５と外側シート６に接着され、隣接する胴部弾性部材２０の間に、内側シート５と外側シート６が接着されない非接着領域が幅方向ｘに延在して設けられることが好ましい。これにより、前側胴部Ｐと後側胴部Ｑの胴部弾性部材２０が設置された領域でも、外装部材２の通気性を高めることができる。
【００６４】
第２前側非接着領域１７Ｆは、第２中間接着領域１６Ｍよりも前側で、吸収性本体７と重なる位置から吸収性本体７の前側縁よりも前方に延在していることが好ましい。同様に、第２後側非接着領域１７Ｂは、第２中間接着領域１６Ｍよりも後側で、吸収性本体７と重なる位置から吸収性本体７の後側縁よりも後方に延在していることが好ましい。このように第２前側非接着領域１７Ｆおよび／または第２後側非接着領域１７Ｂが形成されていれば、第２前側非接着領域１７Ｆや第２後側非接着領域１７Ｂに溜まった湿気がおむつの外に排出されやすくなる。
【００６５】
第２中間接着領域１６Ｍは、吸収性本体７と重なる部分で、吸収性本体７の幅方向ｘの一方側縁から他方側縁にかけて連続的に設けられるとともに、吸収性本体７の幅方向ｘの一方側縁および他方側縁から幅方向ｘの外方に、外装部材２の外縁まで延在して設けられることが好ましい。このように第２中間接着領域１６Ｍが設けられることにより、前側脚部弾性部材２２Ｆと後側脚部弾性部材２２Ｂが股部Ｒを横断する部分から脚開口部４の縁に沿って延びる部分にかけて、内側シート５および／または外側シート６に接着固定されるようになる。
【００６６】
前側脚部弾性部材２２Ｆと後側脚部弾性部材２２Ｂは、第２中間接着領域１６Ｍで股部を断続的に横断して設けられることが好ましい。なお、それ以外の部分では、前側脚部弾性部材２２Ｆと後側脚部弾性部材２２Ｂは連続的に設けられることが好ましい。このように前側脚部弾性部材２２Ｆと後側脚部弾性部材２２Ｂが設けられれば、吸収性本体７が前側脚部弾性部材２２Ｆと後側脚部弾性部材２２Ｂの収縮力によって歪みにくくなり、吸収性本体７の着用者の股間でのフィット性を高めることができる。脚部弾性部材２２を断続的に設ける場合は、脚部弾性部材２２を内側シート５および／または外側シート６に接着固定した後、脚部弾性部材２２をカッター等で切断すればよい。このようにすることで、脚部弾性部材２２を製造上簡単に断続的に設けることができ、また脚部弾性部材２２が断続的に設けられた部分で、弾性部材の収縮力を実質的に失わせることができる。
【００６７】
第２中間接着領域１６Ｍの前後方向ｙの長さは、前側脚部弾性部材２２Ｆが股部Ｒを横断する部分と後側脚部弾性部材２２Ｂが股部Ｒを横断する部分に重なるように設けられれば、その長さは特に限定されない。なお、第２中間接着領域１６Ｍの前後方向ｙの長さは、吸収性本体７の前後方向ｙの長さの２０％以上であることが好ましく、２５％以上がより好ましい。また、第２前側非接着領域１７Ｆや第２後側非接着領域１７Ｂの前後方向ｙの長さを確保し、外装部材２の通気性を高める点から、第２中間接着領域１６Ｍの前後方向ｙの長さは、吸収性本体７の前後方向ｙの長さの５０％以下であることが好ましく、４５％以下がより好ましく、４０％以下がさらに好ましい。
【００６８】
第２前側接着領域１６Ｆと第２後側接着領域１６Ｂの吸収性本体７と重なる部分での前後方向ｙの長さはそれぞれ、吸収性本体７の前後方向ｙの長さの１０％以上が好ましく、１５％以上がより好ましく、２０％以上がさらに好ましく、また５０％以下が好ましく、４５％以下がより好ましく、４０％以下がさらに好ましい。
【００６９】
第２前側接着領域１６Ｆと第２後側接着領域１６Ｂの前後方向ｙの長さは、互いに同じであっても異なっていてもよいが、第２後側接着領域１６Ｂの方が第２前側接着領域１６Ｆよりも前後方向ｙの長さが長いことが好ましい。
【００７０】
第２前側接着領域１６Ｆは第２中間接着領域１６Ｍと接して設けられてもよく、前後方向ｙに離間して設けられてもよい。第２後側接着領域１６Ｂも第２中間接着領域１６Ｍと接して設けられてもよく、前後方向ｙに離間して設けられてもよい。なお、外装部材２の通気性を高める点から、第２前側接着領域１６Ｆおよび／または第２後側接着領域１６Ｂは、第２中間接着領域１６Ｍと前後方向ｙに離間して設けられていることが好ましい。この場合、第２前側接着領域１６Ｆまたは第２後側接着領域１６Ｂが第２中間接着領域１６Ｍと離間した部分に、内側シート５と外側シート６が接着されない非接着領域が形成され、この非接着領域を通って、第２前側非接着領域１７Ｆや第２後側非接着領域１７Ｂに溜まった湿気がおむつの外に排出されやすくなる。この場合の第２前側接着領域１６Ｆと第２中間接着領域１６Ｍとの前後方向ｙの離間距離、および第２後側接着領域１６Ｂと第２中間接着領域１６Ｍとの前後方向ｙの離間距離は、２ｍｍ以上が好ましく、また２０ｍｍ以下が好ましく、１５ｍｍ以下がより好ましく、１０ｍｍ以下がさらに好ましい。
【００７１】
第２中央前側接着領域１６ＣＦは、第２右前側接着領域１６ＲＦと第２左前側接着領域１６ＬＦの間に１つのみ設けられてもよく、幅方向ｘに並んで複数設けられてもよい。第２中央後側接着領域１６ＣＢは、第２右後側接着領域１６ＲＢと第２左後側接着領域１６ＬＢの間に１つのみ設けられてもよく、幅方向ｘに並んで複数設けられてもよい。第２中央前側接着領域１６ＣＦの数は、３以下が好ましく、２以下がより好ましい。第２中央後側接着領域１６ＣＢの数は、３以下が好ましく、２以下がより好ましい。従って、第２前側非接着領域１７Ｆの数は４以下が好ましく、３以下がより好ましい。第２後側非接着領域１７Ｂの数は４以下が好ましく、３以下がより好ましい。
【００７２】
第２前側非接着領域１７Ｆの幅方向ｘの長さ（複数ある場合はその合計長さ）と第２後側非接着領域１７Ｂの幅方向ｘの長さ（複数ある場合はその合計長さ）は、外装部材２の通気性を高める点から、吸収性本体７の幅方向ｘの長さの１０％以上であることが好ましく、１５％以上がより好ましい。また、吸収性本体７が外装部材２（特に外側シート６）に対して適切な位置にセットされやすくする点から、第２前側非接着領域１７Ｆの幅方向ｘの長さと第２後側非接着領域１７Ｂの幅方向ｘの長さは、吸収性本体７の幅方向ｘの長さの８０％以下が好ましく、７０％以下がより好ましい。
【００７３】
第１接着領域１４との関係から、第２中央前側接着領域１６ＣＦと第２中央後側接着領域１６ＣＢは次のように設けられることが好ましい。図６に示すように、第１接着領域１４の幅方向ｘの一方側縁から他方側縁までの長さ（詳細には、第１接着領域１４が第２前側接着領域１６Ｆおよび第２前側非接着領域１７Ｆと重なる部分における幅方向ｘの長さ）をＷA1、第１接着領域１４の幅方向ｘの一方側縁から他方側縁までの範囲における第２前側非接着領域１７Ｆの幅方向ｘの長さをＷA2としたとき、ＷA2／ＷA1の値が０．２０以上であることが好ましく、０．２５以上がより好ましく、０．３０以上がさらに好ましく、また０．６５以下が好ましく、０．６０以下がより好ましく、０．５５以下がさらに好ましい。同様に、第１接着領域１４の幅方向ｘの一方側縁から他方側縁までの長さ（詳細には、第１接着領域１４が第２後側接着領域１６Ｂおよび第２後側非接着領域１７Ｂと重なる部分における幅方向ｘの長さ）をＷB1、第１接着領域１４の幅方向ｘの一方側縁から他方側縁までの範囲における第２後側非接着領域１７Ｂの幅方向ｘの長さをＷB2としたとき、ＷB2／ＷB1の値が０．２０以上であることが好ましく、０．２５以上がより好ましく、０．３０以上がさらに好ましく、また０．６５以下が好ましく、０．６０以下がより好ましく、０．５５以下がさらに好ましい。これにより、外装部材２の通気性を高めつつ、おむつを着用の際に、吸収性本体７を外装部材２（特に外側シート６）に対して適切な位置にセットしやすくなる。なお、第１接着領域１４の幅方向ｘの一方側縁から他方側縁までの長さとは、第１接着領域１４が幅方向ｘに並んで複数設けられる場合は、幅方向ｘの最も一方側にある第１接着領域１４の幅方向ｘの一方側縁から幅方向ｘの最も他方側にある第１接着領域１４の幅方向ｘの他方側縁までの長さを意味する。
【００７４】
第２前側非接着領域１７Ｆと第２後側非接着領域１７Ｂの幅方向ｘの長さは、互いに同じであっても異なっていてもよい。また、第２中央前側接着領域１６ＣＦと第２中央後側接着領域１６ＣＢの幅方向ｘの長さは、互いに同じであっても異なっていてもよい。これらの各領域の幅方向ｘの長さは、複数ある場合はその合計長さを意味する。なお、より多くの尿が溜まりやすいおむつの前側での通気性を高める点から、第２前側非接着領域１７Ｆの幅方向ｘの長さＷA2の方が第２後側非接着領域１７Ｂの幅方向ｘの長さＷB2よりも長いことが好ましい。換言すれば、第２中央前側接着領域１６ＣＦの幅方向ｘの長さの方が第２中央後側接着領域１６ＣＢの幅方向ｘの長さよりも短いことが好ましい。
【００７５】
同様の理由から、第２前側非接着領域１７Ｆの方が第２後側非接着領域１７Ｂよりも広い面積で設けられることが好ましい。あるいは、第２中央前側接着領域１６ＣＦの方が第２中央後側接着領域１６ＣＢよりも狭い面積で設けられることが好ましい。
【００７６】
使い捨ておむつ１の通気性を高める点からは、第１接着領域１４が幅方向ｘに並んで複数設けられるとともに、第２中央前側接着領域１６ＣＦおよび／または第２中央後側接着領域１６ＣＢも幅方向ｘに並んで複数設けられることが好ましい。図７〜図９にはこのように構成された使い捨ておむつ１の構成例を示した。図７では、第１接着領域１４が幅方向ｘに２つ並んで設けられた例が示されており、外装部材２に設置される吸収性本体７の外縁が一点鎖線で示され、外装部材２に吸収性本体７が接着される第１接着領域１４がクロスハッチングで示されている。図８および図９には、第２中央前側接着領域１６ＣＦが幅方向ｘに２つ並んで設けられるとともに、第２中央後側接着領域１６ＣＢが幅方向ｘに２つ並んで設けられた例が示されており、外装部材２に設置される吸収性本体７の外縁が一点鎖線で示され、図７に示した第１接着領域１４の外縁が二点鎖線で示され、外装部材２の内側シート５と外側シート６が接着される第２接着領域１６がクロスハッチングで示されている。なお、図９は、図８に示した外装部材２の肌面側の部分平面図である。
【００７７】
図７では、幅方向ｘに並んで複数設けられた第１接着領域１４の間に、吸収性本体７が外装部材２と接着されない第１非接着領域１５（以下、複数の第１接着領域の間に設けられた第１非接着領域を「第１中央非接着領域」と称する場合がある）が設けられている。図８および図９では、幅方向ｘに並んで複数設けられた第２中央前側接着領域１６ＣＦの間に、内側シート５と外側シート６とが接着されない第２前側非接着領域１７Ｆ（以下、複数の第２中央前側接着領域の間に設けられた第２前側非接着領域を「第２中央前側非接着領域」と称する場合がある）が設けられ、幅方向ｘに並んで複数設けられた第２中央後側接着領域１６ＣＢの間に、内側シート５と外側シート６とが接着されない第２後側非接着領域１７Ｂ（以下、複数の第２中央後側接着領域の間に設けられた第２後側非接着領域を「第２中央後側非接着領域」と称する場合がある）が設けられている。この場合、使い捨ておむつ１の通気性を高める点から、第１中央非接着領域１５と第２中央前側非接着領域１７Ｆが重なって設けられることが好ましく、また第１中央非接着領域１５と第２中央後側非接着領域１７Ｂが重なって設けられることが好ましい。また、吸収性本体７が外装部材２に対してずれにくくする点から、第１接着領域１４が第２中央前側接着領域１６ＣＦおよび／または第２中央後側接着領域１６ＣＢと重なって設けられることが好ましい。
【００７８】
立ち上がりフラップ１２は、第２接着領域１６や第２非接着領域１７との関係から、次のように設けられることが好ましい。図１０には、使い捨ておむつ１を肌面側から見た部分平面図を示したが、立ち上がりフラップ１２は、前側端部１２Ｆと後側端部１２Ｂとこれらの間の中間部１２Ｍを有し、中間部１２Ｍに前後方向ｙに延びるフラップ弾性部材１３が設けられ、前側端部１２Ｆと後側端部１２Ｂがトップシート８に接合されることにより、中間部１２Ｍが起立可能に形成されていることが好ましい。図１０では、立ち上がりフラップ１２のトップシート８への接合部分がクロスハッチングで示されている。そして、第２中間接着領域１６Ｍの前側縁が立ち上がりフラップ１２の前側端部１２Ｆの後側縁よりも後方に位置する、および／または、第２中間接着領域１６Ｍの後側縁が立ち上がりフラップ１２の後側端部１２Ｂの前側縁よりも前方に位置することが好ましい。図１０では、第２接着領域１６の外縁が一点鎖線で示されている。このように立ち上がりフラップ１２が設けられることにより、立ち上がりフラップ１２の中間部１２Ｍの前後端部において、立ち上がりフラップ１２の起立高さをかさ上げすることができる。具体的には、第２前側非接着領域１７Ｆや第２後側非接着領域１７Ｂにおいて内側シート５と外側シート６とが離間することによって、立ち上がりフラップ１２の起立高さを補うことができる。そのため、立ち上がりフラップ１２による尿等の横漏れ防止効果を高めることができる。
【００７９】
立ち上がりフラップ１２の起立基部、すなわち、立ち上がりフラップ１２が中間部１２Ｍにおいて起立する起点となる箇所は、第２前側非接着領域１７Ｆおよび／または第２後側非接着領域１７Ｂと重なる位置にあることが好ましい。これにより立ち上がりフラップ１２が起立した際に、第２非接着領域１７で内側シート５が肌面側に持ち上げられて、起立基部の高さをかさ上げすることができる。そのため、立ち上がりフラップ１２をより高く起立させることができ、尿等の横漏れ防止効果を高めることができる。
【００８０】
第１接着領域１４と第２接着領域１６を形成する接着剤としては、ホットメルト接着剤を用いることが製造上簡便である。ホットメルト接着剤としては、例えば、天然ゴム系、ブチルゴム系、ポリイソプレン等のゴム系接着剤や；スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等のスチレン系エラストマーをベースポリマーとして用いることが好ましい。また、ベースポリマーに、エチレン・酢酸ビニルコポリマー（ＥＶＡ）；ポリエステル；アクリル系エラストマー；ポリオレフィン系エラストマー等を配合して、粘着性や流動性を調節してもよい。ポリオレフィン系エラストマーの一種として、エチレン・プロピレンコポリマー等のアモルファスポリアルファオレフィン（ＡＰＡＯ）を用いることも好ましい。
【００８１】
各接着領域は、接着剤が全面塗布されてもよいし、接着剤が網状や線状や散点状に塗布されてもよい。接着剤の塗布方法としては、例えば、カーテンスプレー法、オメガコーティング法、スパイラルコーティング法、パターンコート等を用いることができる。
【００８２】
第１接着領域１４を形成する接着剤と第２接着領域１６を形成する接着剤は、互いに同じであっても異なっていてもよい。また、第２前側接着領域１６Ｆを形成する接着剤と第２中間接着領域１６Ｍを形成する接着剤と第２後側接着領域１６Ｂを形成する接着剤は、互いに同じであっても異なっていてもよい。なお、使い捨ておむつ１の着用感を向上させる点から、外装部材２は股部Ｒにおいて軟らかく形成されていることが好ましく、このような観点から、第２前側接着領域１６Ｆおよび／または第２後側接着領域１６Ｂは第２中間接着領域１６Ｍよりも剛軟度が高いことが好ましい。従って、第２中間接着領域１６Ｍの単位面積当たりの接着剤塗布量は、第２前側接着領域１６Ｆの単位面積当たりの塗布量および／または第２後側接着領域１６Ｂの単位面積当たりの塗布量よりも少ないことが好ましい。あるいは、第２中間接着領域１６Ｍを形成する接着剤は、第２前側接着領域１６Ｆを形成する接着剤および／または第２後側接着領域１６Ｂを形成する接着剤よりも凝集力が低いものを用いることが好ましい。
【符号の説明】
【００８３】
１：使い捨ておむつ
２：外装部材
３：ウェスト開口部
４：脚開口部
５：内側シート
６：外側シート
７：吸収性本体
８：トップシート
９：バックシート
１０：吸収体
１１：サイド接合部
１２：立ち上がりフラップ
１３：フラップ弾性部材
１４：第１接着領域
１５：第１非接着領域（第１側部非接着領域と第１中央非接着領域を含む）
１６：第２接着領域、１６Ｆ：第２前側接着領域、１６ＲＦ：第２右前側接着領域、１６ＣＦ：第２中央前側接着領域、１６ＬＦ：第２左前側接着領域、１６Ｍ：第２中間接着領域、１６Ｂ：第２後側接着領域、１６ＲＢ：第２右後側接着領域、１６ＣＢ：第２中央後側接着領域、１６ＬＢ：第２左後側接着領域
１７：第２非接着領域、１７Ｆ：第２前側非接着領域（第２中央前側非接着領域を含む）、１７Ｂ：第２後側非接着領域（第２中央後側非接着領域を含む）
２０：胴部弾性部材
２１：腰部弾性部材
２２：脚部弾性部材、２２Ｆ：前側脚部弾性部材、２２Ｂ：後側脚部弾性部材
Ｐ：前側胴部
Ｑ：後側胴部
Ｒ：股部
【図１】
2020058696.tif 000003
【図２】
2020058696.tif 000004
【図３】
2020058696.tif 000005
【図４】
2020058696.tif 000006
【図５】
2020058696.tif 000007
【図６】
2020058696.tif 000008
【図７】
2020058696.tif 000009
【図８】
2020058696.tif 000010
【図９】
2020058696.tif 000011
【図１０】
2020058696.tif 000012